(57)【特許請求の範囲】
【請求項１】
受信されたＤＴＶ信号の処理経路と、
受信された信号の周波数スペクトルから前記ＤＴＶ信号に含まれたアナログＴＶ信号を除去するアナログＴＶ信号除去フィルタと、
前記受信された信号の周波数スペクトル内でアナログＴＶ信号同期化パルスの存在を検出するシンク信号検出器と、
前記シンク信号検出器が前記受信された信号内で前記アナログＴＶ信号同期化パルスの存在を検出する時、
前記アナログＴＶ信号同期化パルスの反復率を測定し、測定された反復率と予測パルス反復率とが一致した場合には前記受信されたＤＴＶ信号の処理経路内に前記アナログＴＶ信号除去フィルタを含め、一致しない場合には含めないよう駆動されるスイッチング回路と、
を備えることを特徴とするＤＴＶ信号を受信するＴＶ受信機。
【請求項２】
前記スイッチング回路は、
前記アナログＴＶ信号同期化パルスのパルス反復率を感知する信号コントローラ回路を備えることを特徴とする請求項１に記載のＤＴＶ信号を受信するＴＶ受信機。
【請求項３】
前記予測パルス反復率は、
ＮＴＳＣフォーマットパルス反復率またはＰＡＬフォーマットパルス反復率のうち何れか一つでプログラムされることを特徴とする請求項１に記載のＤＴＶ信号を受信するＴＶ受信機。
【請求項４】
前記検出されたアナログＴＶ信号同期化パルスは、垂直、水平、または垂直及び水平同期化パルスで構成されることを特徴とする請求項１に記載のＤＴＶ信号を受信するＴＶ受信機。
【請求項５】
前記アナログＴＶ信号除去フィルタは、
ＮＴＳＣ除去フィルタであり、前記シンク信号検出器はＮＴＳＣ同期化パルスであることを特徴とする請求項１に記載のＤＴＶ信号を受信するＴＶ受信機。
【請求項６】
前記アナログＴＶ信号除去フィルタは、
ＰＡＬ除去フィルタであり、前記シンク信号検出器はＰＡＬ同期化パルスであることを特徴とする請求項１に記載のＤＴＶ信号を受信するＴＶ受信機。
【請求項７】
前記スイッチング回路は、
前記受信されたＤＴＶ信号の処理経路内に挿し込まれ、前記アナログＴＶ信号除去フィルタの出力と連結される第１入力データ、前記アナログＴＶ信号除去フィルタをバイパスした第２入力データ、及びマルチプレクサ出力として前記データのうち何れか一つを選択する選択入力を有するマルチプレクサと、
前記マルチプレクサ選択入力と連結された出力を有し、前記測定された反復率と前記予測パルス反復率とが一致した場合、前記マルチプレクサの前記第１入力データを選択する信号を出力する信号コントローラと、
を備えることを特徴とする請求項１に記載のＤＴＶ信号を受信するＴＶ受信機。
【請求項８】
前記ＴＶ受信機は、
アナログＴＶ信号を受信するアナログＴＶ信号の処理経路をさらに備え、
前記シンク信号検出器が前記アナログＴＶ信号の処理経路の一部であることを特徴とする請求項１に記載のＤＴＶ信号を受信するＴＶ受信機。
【請求項９】
前記シンク信号検出器は、
前記受信された信号の周波数スペクトル内で前記アナログＴＶ信号同期化パルスの相対的強度を検出し、前記スイッチング回路は、前記受信されたＤＴＶ信号の処理経路に前記アナログＴＶ信号除去フィルタを含める前に、検出された前記アナログＴＶ信号同期化パルスが少なくとも最小相対強度を有するように要求することを特徴とする請求項１に記載のＤＴＶ信号を受信するＴＶ受信機。
【請求項１０】
ＴＶ信号を選択してチャンネル信号を出力するチューナと、
前記チャンネル信号を受信して復調されたチャンネル信号を出力する復調器と、
前記チャンネル信号を受信して、前記チャンネル信号内のアナログＴＶ信号同期化パルスを検出し、同期化パルス信号を出力するシンク分離器と、
前記シンク分離器から前記同期化パルス信号を受信して、前記チャンネル信号内にアナログＴＶ信号の存否を表わすコントロール信号を生成する信号コントローラと、
前記復調されたチャンネル信号の周波数スペクトルからアナログＴＶ信号をフィルタリングしてフィルタリングされた復調チャンネル信号を出力するアナログＴＶ信号除去フィルタと、
前記コントロール信号を利用して前記復調されたチャンネル信号または前記フィルタリングされた復調チャンネル信号のうちの何れか一つを選択するマルチプレクサと、
を備え、
前記マルチプレクサは、前記コントロール信号が前記チャンネル信号内に前記アナログＴＶ信号の存在を示す時には、前記アナログＴＶ信号同期化パルスの反復率を測定し、測定された反復率と予測パルス反復率とが一致した場合には、前記フィルタリングされた復調チャンネル信号を選択し、一致しない場合には前記復調されたチャンネル信号を選択することを特徴とするＤＴＶ信号を受信するＴＶ受信機。
【請求項１１】
チャンネル信号を受信して復調されたチャンネル信号を出力する復調器と、
チャンネル信号シンク分離器からアナログＴＶ信号同期化パルス信号を受信して、前記チャンネル信号内にアナログＴＶ信号の存否を表わすコントロール信号を生成する信号コントローラと、
前記復調されたチャンネル信号の周波数スペクトルからアナログＴＶ信号をフィルタリングしてフィルタリングされた復調チャンネル信号を出力するアナログＴＶ信号除去フィルタと、
前記コントロール信号を利用して前記復調されたチャンネル信号または前記フィルタリングされた復調チャンネル信号のうちの何れか一つを選択するマルチプレクサと、を備え、
前記マルチプレクサは、前記コントロール信号が前記チャンネル信号内に前記アナログＴＶ信号の存在を示す時には、前記アナログＴＶ信号同期化パルスの反復率を測定し、測定された反復率と予測パルス反復率とが一致した場合には、前記フィルタリングされた復調チャンネル信号を選択し、一致しない場合には前記復調されたチャンネル信号を選択することを特徴とするＤＴＶ信号を受信するＴＶ受信機。
【請求項１２】
前記ＴＶ受信機は、
前記チャンネル信号シンク分離器をさらに備えることを特徴とする請求項１１に記載のＤＴＶ信号を受信するＴＶ受信機。
【請求項１３】
前記ＴＶ受信機は、
アナログＴＶ信号を受信するアナログＴＶ信号の処理経路をさらに備え、
前記チャンネルシンク信号分離器が前記アナログＴＶ信号の処理経路の一部であることを特徴とする請求項１２に記載のＤＴＶ信号を受信するＴＶ受信機。
【請求項１４】
シンク信号検出器により、ＤＴＶ信号の周波数帯域内にアナログＴＶ信号同期化パルスを検出した時、前記アナログＴＶ信号同期化パルスの反復率を測定し、測定された反復率と所定アナログＴＶ信号フォーマットのアナログＴＶ信号同期化パルスに対する予測パルス反復率とが一致した場合には、前記ＤＴＶ信号の周波数帯域内にアナログＴＶ信号が存在すると決定する段階と、
前記アナログＴＶ信号が存在すると決定される時、前記ＤＴＶ信号をデコーディングする前にアナログＴＶ信号除去フィルタを通じて前記ＤＴＶ信号をフィルタリングする段階と、
を備えることを特徴とするＤＴＶ信号処理方法。
【請求項１５】
前記検出されたアナログＴＶ信号同期化パルスは垂直同期化信号で構成され、前記予測パルス反復率は前記所定アナログＴＶフォーマットに当る前記予測垂直シンク率であることを特徴とする請求項１４に記載のＤＴＶ信号処理方法。
【請求項１６】
前記検出されたアナログＴＶ信号同期化パルスは水平同期化信号で構成され、前記予測パルス反復率は前記所定アナログＴＶフォーマットの前記予測水平シンク率であることを特徴とする請求項１４に記載のＤＴＶ信号処理方法。
【請求項１７】
前記検出されたアナログＴＶ信号同期化パルスは垂直同期化信号をさらに備え、前記予測パルス反復率は前記所定アナログＴＶフォーマットの前記予測垂直シンク率をさらに備え、
前記検出されたアナログＴＶ信号同期化パルスのパルス反復率の測定は垂直シンク率及び水平シンク率を測定することを含み、
予測パルス反復率と前記測定されたパルス反復率との比較は前記予測垂直シンク率と前記測定された垂直シンク率との比較、及び前記予測水平シンク率と前記測定された水平シンク率との比較を含み、
前記アナログＴＶ信号の存在宣言は、前記測定された垂直シンク率が実質的に前記予測垂直シンク率とマッチングされ、前記測定された水平シンク率が実質的に前記予測水平シンク率とマッチングされる時になされることを特徴とする請求項１６に記載のＤＴＶ信号処理方法。
【請求項１８】
前記予測パルス反復率は、
アナログＴＶ信号フォーマットのうち少なくとも二つの率間で選択されることを特徴とする請求項１４に記載のＤＴＶ信号処理方法。
【請求項１９】
前記アナログＴＶ信号の抽出は、
同期化信号パルス反復率に対応する周波数に存在する相対的な信号エネルギを測定することを特徴とする請求項１４に記載のＤＴＶ信号処理方法。
【請求項２０】
前記アナログＴＶ信号の存在決定は、
アナログＴＶ信号が存在すると決定される前に、同期化信号パルス反復率に対応する周波数に存在する前記相対的な信号エネルギが少なくても最小限の相対強度を有するように要求することを含むことを特徴とする請求項１９に記載のＤＴＶ信号処理方法。
【発明の詳細な説明】
【技術分野】
【０００１】
本発明はデジタルＴＶ信号でのコチャンネル（Ｃｏ−ｃｈａｎｎｅｌ）干渉フィルタリングに係り、特に、コチャンネル除去フィルタを選択的に適用するためにコチャンネル干渉の存在を検出する装置及び方法に関する。
【背景技術】
【０００２】
一般的な放送ＴＶ信号は、厳密に言えば、性質上アナログである。このようなＴＶ信号は、一般的に大きく３つの放送フォーマットのうちの何れか一つに属する。すなわち、韓国、米国及びいくつかの国で適用されているＮＴＳＣ（Ｎａｔｉｏｎａｌ Ｔｅｌｅｖｉｓｉｏｎ Ｓｙｓｔｅｍ Ｃｏｍｍｉｔｔｅｅ）フォーマットがあり、ほとんどの他の国で適用されているＰＡＬ（Ｐｈａｓｅ Ａｌｔｅｒｎａｔｉｏｎ ｂｙ Ｌｉｎｅ）フォーマット及びＳＥＣＡＭ（Ｓｙｓｔｅｍｅ Ｅｌｅｃｔｒｏｎｉｑｕｅ Ｃｏｕｌｅｕｒ Ａｖｅｃ Ｍｅｍｏｉｒｅ）フォーマットがある。
【０００３】
ＨＤＴＶ（Ｈｉｇｈ−Ｄｅｆｉｎｉｔｉｏｎ Ｔｅｌｅｖｉｓｉｏｎ）、または、さらに一般的に言えば、ＤＴＶ（Ｄｉｇｉｔａｌ Ｔｅｌｅｖｉｓｉｏｎ）フォーマットは、デジタルコード化された信号を使用するので、一般的なアナログＴＶ信号フォーマットと異なる。ほとんどのビデオ信号には不要に重複的に使われる信号が存在するので、そのような圧縮されていないビデオシーケンスは可視的に認知されない方法によってデジタル的に圧縮されうる。したがって、そのようなＤＴＶ信号は、同じ帯域幅を有する同じアナログ信号によって伝送する時よりもさらに多くの情報を伝送できる。現在、米国で実現されているＨＤＴＶフォーマットによれば、ＨＤＴＶ帯域幅がアナログＮＴＳＣ放送とほぼ同じ帯域幅を有するように設定され、ＮＴＳＣチャンネルに割り当てられたチャンネルと同じチャンネルを使用するように設定されている。
【０００４】
長期的な観点では、ＮＴＳＣチャンネルは消えるが、現在、ほとんどのＴＶユーザは、まだＨＤＴＶ受信機を所有しておらず、ＨＤＴＶ時代への転移が次第に拡大されている。現在の過渡期で、ＨＤＴＶ信号を放送するＴＶ放送局はＨＤＴＶ受信機を有するユーザのために、今後代替するＨＤＴＶ信号と相対的に強いが次第に消えるＮＴＳＣ信号とを同じチャンネルに割り当てている。このような環境で、ＮＴＳＣとＨＤＴＶ信号とは互いに干渉を起こし、これはいわゆるコチャンネル干渉と呼ばれる。
【０００５】
図１を参照すれば、ＮＴＳＣ信号の周波数スペクトル１００が示されている。ＤＴＶ信号がＮＴＳＣ信号と同じチャンネルに割り当てられた場合に、ＮＴＳＣ信号チャンネル内に伝送されたＤＴＶ情報が図１のエンベロープ１１０である。割り当てられた周波数スペクトルの低い側のエッジから１.２５ＭＨｚ離れたビデオキャリヤＶは、ＮＴＳＣ信号の輝度成分の復調のために使われる。ビデオキャリヤＶから３.５８ＭＨｚ離れたカラーサブキャリヤＣは、カラーＴＶ受信機でＮＴＳＣ直角色差信号の復調のために使われる。ビデオキャリヤＶから４.５ＭＨｚ離れたオーディオキャリヤＡは、相対的に小さな周波数帯域から伝送されたＮＴＳＣ ＦＭ（Ｆｒｅｑｕｅｎｃｙ Ｍｏｄｕｌａｔｉｏｎ）オーディオ信号の復調のために使われる。
【０００６】
ＨＤＴＶ信号がＮＴＳＣ信号と同じチャンネルに割り当てられる場合に、ＮＴＳＣ信号は強い干渉を起こす恐れがある。したがって、受信されたＨＤＴＶ信号をプレフィルタリングするために、ＮＴＳＣ信号、すなわち、ビデオ、カラー及びオーディオキャリヤに対する予想される成分を除去するＮＴＳＣ除去フィルタが使われる。一般的に、コームフィルタがＮＴＳＣ除去フィルタとして使われる。図１に示すように、コームフィルタ１２０は５７ｆＨ Ｈｚ離れた所に空き情報を有する。ここで、ｆＨはアナログビデオ信号の水平走査周波数（ＮＴＳＣビデオの１５.７３４ｋＨｚ）である。コームフィルタの空き情報のうち一つはビデオキャリヤＶと整列され、他のコームフィルタの空き情報はカラーサブキャリヤＣと整列され、さらに他のコームフィルタの空き情報はオーディオキャリヤＡと整列される。
【０００７】
図１で、コームフィルタがＨＤＴＶチャンネル空間内の他の空き情報を有することもある。このような場合にはコチャンネル干渉を改善できない。事実上、ＮＴＳＣ除去フィルタは、ＮＴＳＣ信号が含まれていない場合には、約３ｄＢほどのＨＤＴＶ信号のＳＮＲ（Ｓｉｇｎａｌ−ｔｏ−Ｎｏｉｓｅ Ｒａｔｉｏ）を歪曲させる。したがって、ＮＴＳＣコチャンネル干渉が３ｄＢ以下である場合には、ＮＴＳＣ除去フィルタを使用しない方が良い。そこで、ＮＴＳＣ信号が存在しない時には、ＮＴＳＣ除去フィルタが動作せず、ＨＤＴＶ信号を直接処理させる必要がある。
【０００８】
ＮＴＳＣ信号がＨＤＴＶチャンネルに存在するか否かを決定するための幾つかの方法がある。特許文献１では、ＮＴＳＣ除去フィルタがある場合及びない場合それぞれに対して、受信された信号で雑音エネルギ推定値を計算する方法が紹介されている。このような二つの雑音エネルギ間の差が所定臨界値より大きければ、ＮＴＳＣ信号が検出される。ＮＴＳＣ信号が検出されれば、ＮＴＳＣ除去フィルタがＨＤＴＶ処理過程に使用される。
【０００９】
特許文献２では、コチャンネル干渉が存在するか否かを決定する他の方法を紹介する。ＨＤＴＶ受信機内に備わったエラー検出／補正回路が受信されたデジタル信号のエラー率を出力する。このようなエラー率はＮＴＳＣ除去フィルタがある場合及びない場合それぞれの条件に対して比較される。このうち、最も低いエラー率に当る構成がＨＤＴＶ信号の処理経路に選択される。
【特許文献１】米国特許第６,２０１,５７６号公報
【特許文献２】米国特許第６,４２１,０７７号公報
【発明の開示】
【発明が解決しようとする課題】
【００１０】
本発明が解決しようとする技術的課題は、アナログ放送信号とＤＴＶ放送信号とが同じチャンネルに割り当てられているコチャンネルで、アナログ放送信号の存在時にのみコチャンネル除去フィルタを使用するＤＴＶ受信機及びＤＴＶ信号処理方法を提供することである。
【課題を解決するための手段】
【００１１】
前記課題を達成するための本発明の一面によるＤＴＶ信号を受信するＴＶ受信機は、受信されたＤＴＶ信号の処理経路、アナログＴＶ信号除去フィルタ、シンク信号検出器、及びスイッチング回路を備えることを特徴とする。前記アナログＴＶ信号除去フィルタは、受信された信号の周波数スペクトルから一つ以上のスペクトル成分をフィルタリングする。前記シンク信号検出器は、前記受信された信号の周波数スペクトル内でアナログＴＶ信号同期化パルスの存在を検出する。前記スイッチング回路は、前記シンク信号検出器が前記受信された信号内でアナログＴＶ信号同期化パルスの存在を検出する時、前記受信されたＤＴＶ信号の処理経路内に前記アナログＴＶ信号除去フィルタを含める。
【００１２】
前記課題を達成するための本発明の他の一面によるＤＴＶ信号を受信するＴＶ受信機は、チューナ、復調器、シンク分離器、信号コントローラ、アナログＴＶ信号除去フィルタ、及びマルチプレクサを備えることを特徴とする。前記チューナは、ＴＶ信号を選択してチャンネル信号を出力する。前記復調器は、前記チャンネル信号を受信して復調されたチャンネル信号を出力する。前記シンク分離器は、前記チャンネル信号を受信して前記チャンネル信号内のアナログＴＶ信号同期化パルスを検出し、同期化パルス信号を出力する。前記信号コントローラは、前記シンク分離器から前記同期化パルス信号を受信して、前記チャンネル信号内にアナログＴＶ信号が存在するかを表わすコントロール信号を生成する。前記アナログＴＶ信号除去フィルタは、前記復調されたチャンネル信号の周波数スペクトルから一つ以上のスペクトル成分をフィルタリングしてフィルタリングされた復調チャンネル信号を出力する。前記マルチプレクサは、前記コントロール信号を利用して前記復調されたチャンネル信号または前記フィルタリングされた復調チャンネル信号のうちの何れか一つを選択する。
【００１３】
前記課題を達成するための本発明のさらに他の一面によるＤＴＶ信号を受信するＴＶ受信機は、復調器、信号コントローラ、アナログＴＶ信号除去フィルタ、及びマルチプレクサを備えることを特徴とする。前記復調器は、チャンネル信号を受信して復調されたチャンネル信号を出力する。前記信号コントローラは、チャンネル信号シンク分離器からアナログＴＶ信号同期化パルス信号を受信し、前記チャンネル信号内にアナログＴＶ信号の存否を表わすコントロール信号を生成する。前記アナログＴＶ信号除去フィルタは、前記復調されたチャンネル信号の周波数スペクトルから一つ以上のスペクトル成分をフィルタリングしてフィルタリングされた復調チャンネル信号を出力する。前記マルチプレクサは、前記コントロール信号を利用して前記復調されたチャンネル信号または前記フィルタリングされた復調チャンネル信号のうちの何れか一つを選択する。
【００１４】
前記他の課題を達成するための本発明の一面によるＤＴＶ信号処理方法は、アナログＴＶ同期化信号がＤＴＶ信号の周波数帯域内で検出されうる時、前記ＤＴＶ信号の周波数帯域内で前記アナログＴＶ同期化信号を検出する段階と、前記検出されたアナログＴＶ同期化信号からアナログＴＶ信号が前記ＤＴＶ信号の周波数帯域内に存在するかを決定する段階と、アナログＴＶ信号が存在すると決定される時、前記ＤＴＶ信号をデコーディングする前にアナログＴＶ信号除去フィルタを通じて前記ＤＴＶ信号をフィルタリングする段階と、を備えることを特徴とする。
【発明の効果】
【００１５】
本発明によれば、例えば、ＮＴＳＣまたはＰＡＬ除去フィルタの使用如何を決定するために、多くの多様な同期化信号分析技術が使用されうる。最も単純な例として、予測反復率に近い反復率を有する水平同期パルス列が存在するか否かが前記フィルタの使用如何を決定するのに使用されうる。その代りに、垂直パルス列が存在するかが使用されることもある。または、正確度を高めるために、信号コントローラが水平及び垂直パルスを何れも必要とすることもある。他の実施例として、信号コントローラは、連続的な垂直シンクパルス間で検出される水平パルスをカウント可能にする。
【００１６】
さらに精密な方法も使用されうる。例えば、シンク分離器での自動利得コントローラ機能は、チューナ出力と関連してシンクパルスの相対的なレベルを調節できる。自動利得コントローラの出力レベルは、付加的な他の計算のために信号コントローラに提供されうる。自動利得コントローラの出力レベルが相対的に弱いＮＴＳＣまたはＰＡＬ信号を表わす時には、弱いか、または間歇的なシンクパルスが検出されるとしても、信号コントローラは除去フィルタを選択しない。
【００１７】
シンク分離器は、ＨＤＴＶ復調器内で発生するデジタルサンプルを利用して動作することもある。例えば、シンク分離器は、アナログ−デジタル変換機出力を低域通過フィルタリングでき、次いで、アナログＴＶ信号の水平ライン率及び垂直フィールド率に当る周波数成分に対する低域通過フィルタリングされた形態（例えば、高速フーリエ変換によって）を解析できる。除去フィルタの挿入が適切であるかを決定するために、そのような信号の相対的な強度が信号コントローラによって解析されうる。
【００１８】
このようないかなる技術を使用しても、種々のアナログＴＶフォーマット（例えば、ＮＴＳＣ、ＮＴＳＣ変形、ＰＡＬ、ＳＥＣＡＭなど）のうち選択される一つのフォーマットからコチャンネル干渉を検出するようにプログラムされうるシステムが実現されうる。あるシステムに種々の形態の除去フィルタが挿し込まれる場合には、そのシステムは多重アナログＴＶフォーマットから干渉を検出して適切な除去フィルタを挿し込むように設計されうる。
【発明を実施するための最良の形態】
【００１９】
本発明と本発明の動作上の利点及び本発明の実施によって達成される目的を十分に理解するためには、本発明の望ましい実施例を例示する添付図面及び図面に記載された内容を参照しなければならない。
【００２０】
以下、添付した図面を参照して本発明の望ましい実施例を説明することによって、本発明を詳細に説明する。各図面に付された同一参照符号は同一部材を表わす。
【００２１】
本発明では、アナログＴＶ信号の特定の性質を検出することによって、干渉を起こすＮＴＳＣ（または、他のアナログ）ＴＶ信号がＤＴＶ信号と同じチャンネルを占有するか否かを決定する実施例が開示される。例えば、ＮＴＳＣ信号は、５９.９４Ｈｚフィールド率で反復される垂直同期化パルス及び１５.７３４ｋＨｚライン率で反復される水平同期化パルスを含む。ＰＡＬ信号は、５０Ｈｚフィールド率で反復される垂直同期化パルス及び１５.６２５ｋＨｚライン率で反復される水平同期化パルスを含む。このようなシンク性質は、所定アナログＴＶ信号が現在チューニングされたＨＤＴＶ周波数空間に存在するか否かを決定するために本発明の実施例で使われる。
【００２２】
図２を参照すれば、本発明の第１実施例によるＴＶ受信機が示されている。ＤＴＶ処理経路２１０は、チューナ２２０、復調器２３０、ＭＵＸ ２６０、及び本発明の主要部分ではない公知の他のＤＴＶ処理機能ブロック（図示せず）を含む。それ以外にも、アナログＴＶ信号除去フィルタ２４０にマッチングされ、アナログＴＶ信号が検出される時、フィルタ２４０がＤＴＶ処理経路２１０に挿し込まれうる。
【００２３】
チューナ２２０は、入力信号ＩＮを受信して一つのチャンネルを選択する。選択されたチャンネルは、復調器２３０に入力され、これにより、復調器２３０は信号タイミング及び同期化を行い、他のフィルタリング動作を行う。復調器２３０の出力は、ＭＵＸ ２６０の第１入力に供給されると共に、アナログＴＶ信号除去フィルタ２４０の入力にも供給される。アナログＴＶ信号除去フィルタ２４０の出力は、ＭＵＸ ２６０の第２入力に供給される。選択信号ＳＥＬＥＣＴは、ＭＵＸ ２６０の第１または第２入力のうちの何れか一つが選択的にＭＵＸ ２６０の出力となるようにスイッチングするために使われる。ＭＵＸ ２６０の出力は、後続のブロックでＤＴＶ処理のために使われる。
【００２４】
ＤＴＶ処理経路２１０の外部では、シンク信号検出器２５０がチューナ２２０からの出力を受信し、チューニングされたチャンネルにある一つ以上のアナログＴＶシンク信号の検出を試みる。もし、シンク信号が存在すれば、シンク信号検出器２５０は選択信号ＳＥＬＥＣＴによってＤＴＶ処理経路２１０内にアナログＴＶ信号除去フィルタ２４０を挿し込むようにＭＵＸ ２６０をスイッチングさせる。また、シンク信号検出器２５０は選択信号ＳＥＬＥＣＴによってＭＵＸ ２６０がＤＴＶ処理経路２１０に復調器２３０の出力をパスさせるようにスイッチングさせる。オプション事項として、必要に応じて、シンク信号検出器２５０の“ＥＮＡＢＬＥ”出力は、アナログＴＶ信号除去フィルタ２４０をオフさせうる。
【００２５】
図３は、例えば図２の受信機２００でＤＴＶ信号を処理するための一般的な方法３００を示す。方法３００で、一つ以上のアナログＴＶシンク信号の検出が試される（ステップ３０２）。もし、シンク信号が検出されなければ（ステップ３０４）、ＤＴＶ信号がフィルタリングされない（ステップ３１２）。もし、シンク信号が検出される場合には（ステップ３０４）、シンクパルス反復率が測定され（ステップ３０６）、予測パルス反復率と比較される（ステップ３０８）。もし、シンクパルス反復率が予測パルス反復率と異なれば、アナログＴＶ信号が存在するかもしれないが、除去フィルタ２４０によってフィルタリングされうる形態の信号ではない。結局、もし、前記測定されたシンクパルス反復率が前記予測パルス反復率と一致すれば、ＤＴＶ信号は除去フィルタ２４０でフィルタリングされる（ステップ３１０）。
【００２６】
図４は、本発明の第２実施例によるＴＶ受信機４００を表わすブロック図である。ＴＶ受信機４００は、ＤＴＶ受信機４１０及びアナログＴＶ受信機４７０によって共有される出力を有するチューナ４２０を含む。ＤＴＶ受信機４１０及びアナログＴＶ受信機４７０それぞれはビデオ出力信号を提供する。ＤＴＶ受信機４１０は、復調器４３０、アナログＴＶ信号除去フィルタ４４０、及びＭＵＸ ４６０を含む。ここで、図２の受信機２００での要素と同一の要素は、図２の場合と同様に動作する。それ以外にも、信号コントローラ４５０はＭＵＸ ４６０に選択信号ＳＥＬＥＣＴを提供する。
【００２７】
アナログＴＶ受信機４７０は、ノーマル処理の一部であって、アナログＴＶ信号が存在する時、アナログＴＶ信号にある垂直及び水平同期化パルスを検出するシンク分離器を含む。図４で、アナログＴＶ受信機４７０のシンク分離器は、少なくともＤＴＶ受信機４００のビデオ出力が受信機４００から出力されるように選択される時にイネーブルされる。したがって、アナログＴＶ受信機４７０によって検出されたシンクパルスがＤＴＶ受信機４１０の内部の信号コントローラ４５０に入力される。信号コントローラ４５０は、選択信号ＳＥＬＥＣＴの出力の状態を決定するためにアナログＴＶ受信機４７０からのシンクパルス信号を利用する。例えば、アナログ及びデジタルＴＶ受信機４１０，４７０は、共通集積回路に内蔵されうる。他の例として、別途の一般的なアナログＴＶ受信機が使われることもある。
【００２８】
図５は、ＮＴＳＣコチャンネル干渉に適用できるＤＴＶ受信機５００を表わす一例である。ＤＴＶ受信機５００は、チューナ５２０、復調器５３０、ＮＴＳＣ除去フィルタ５４０、及びＭＵＸ ５６０を含む。ここで、図２の受信機２００での要素と同一の要素は、図２の場合と同様に動作する。他の通常的なＤＴＶ処理のための要素、すなわち、等化器５７０及び前方向エラー訂正（ＦＥＣ：Ｆｏｒｗａｒｄ Ｅｒｒｏｒ Ｃｏｒｒｅｃｔｉｏｎ）回路５８０は、ＤＴＶ信号処理のためのＭＵＸ ５６０の後続回路を表わす。
【００２９】
復調器５３０は、いくつかのサブブロックを含む。チューナ５２０の出力はアナログ−デジタル変換機５３２に連結され、アナログ−デジタル変換機５３２の出力であるデジタルサンプルは、クロック復旧及び同期化タイミング復旧ブロック５３４に入力される。整合フィルタ５３６は、デジタルサンプルを利用して適切にフィルタリングされた２進ストリームを検出する。このような２進ストリームは、ＭＵＸ ５６０及びＮＴＳＣ除去フィルタ５４０に入力される。
【００３０】
チューナ５２０の出力はシンク分離器５５２にも入力される。シンク分離器５５２は、チューニングされた信号からＮＴＳＣ垂直及び／または水平同期化パルスの検出を試みる。同期化パルスが検出されれば、パルスは信号コントローラ５５４に伝送される。信号コントローラ５５４は、シンクパルスの検出如何とシンクパルスの反復率とを利用して、前記ＭＵＸ ５６０の出力として前記ＮＴＳＣ除去フィルタ５４０の出力を選択するか否かを決定する。
【００３１】
図６は、ＰＡＬコチャンネル干渉に適用できるＤＴＶ受信機６００を表わす一例である。ＤＴＶ受信機６００は、チューナ６２０、復調器６３０、ＰＡＬ除去フィルタ６４０、及びＭＵＸ ６６０を含む。ここで、図２の受信機２００での要素と同一の要素は、図２の場合と同様に動作する。ＦＥＣ回路６８０は、ＤＴＶ信号処理のためのＭＵＸ ５６０の後続回路を表わす。
【００３２】
復調器６３０は、いくつかのサブブロックを含む。チューナ６２０の出力はアナログ−デジタル変換機６３２に連結され、アナログ−デジタル変換機５３２の出力であるデジタルサンプルは、クロック復旧及び同期化タイミング復旧ブロック６３４に入力される。高速フーリエ変換部６３６及び等化器／マッピング器６３８は、周波数ドメインでの２進ストリームを提供する。このような周波数ドメイン信号は、ＭＵＸ ６６０及びＰＡＬ除去フィルタ６４０に入力される。
【００３３】
チューナ６２０の出力は、シンク分離器６５２にも入力される。シンク分離器６５２は、チューニングされた信号からＰＡＬ垂直及び／または水平同期化パルスの検出を試みる。同期化パルスが検出されれば、パルスは信号コントローラ６５４に伝送される。信号コントローラ６５４は、シンクパルスの検出如何とシンクパルスの反復率とを利用して、ＭＵＸ ６６０出力としてＰＡＬ除去フィルタ６４０の出力を選択するか否かを決定する。
【００３４】
上述の実施例ではコームフィルタが説明されたが、干渉を起こすアナログＴＶ信号での一つ以上のスペクトル成分を除去するために他のフィルタリング技術が使用されうる。当業者ならば、これから多様な変形及び均等な他の実施例が可能であることが理解できよう。したがって、本発明の真の技術的保護範囲は、特許請求の範囲上の技術的思想によって決定されなければならない。また、上述したように図面及び明細書に開示された最適の実施例で、特定な用語が使われたが、これは単に本発明を説明するための目的で使われたものであり、意味限定や特許請求の範囲に記載された本発明の範囲を制限するために使用されたものではない。
【産業上の利用可能性】
【００３５】
本発明によるデジタルＴＶ受信機及びデジタルＴＶ信号処理方法は、デジタルＴＶ、ＴＶのためのセットップボックスに使用することができる。
【図面の簡単な説明】
【００３６】
【図１】同じチャンネルを占有するＮＴＳＣ及びＤＴＶ信号が干渉を起こす周波数スペクトル、及びそのスペクトルがＮＴＳＣ信号除去のために使われたコームフィルタといかに整列されているかを説明する図である。
【図２】本発明の一実施例によるＴＶ受信機を表わすブロック図である。
【図３】図２でフィルタ使用如何を決定する過程を表わすフローチャートである。
【図４】フィルタ使用如何を決定するＤＴＶ及びアナログＴＶ受信機の構成を有するＴＶ受信機を表わすブロック図である。
【図５】ＮＴＳＣ信号が存在する時のＤＴＶ受信機を表わすブロック図である。
【図６】ＰＡＬ信号が存在する時のＤＴＶ受信機を表わすブロック図である。
【符号の説明】
【００３７】
２００    受信機
２１０    ＤＴＶ処理経路
２２０    チューナ
２３０    復調器
２４０    アナログＴＶ信号除去フィルタ
２５０    シンク信号検出器
２６０    ＭＵＸ
【図１】
0004806170.tif 000002
【図２】
0004806170.tif 000003
【図３】
0004806170.tif 000004
【図４】
0004806170.tif 000005
【図５】
0004806170.tif 000006
【図６】
0004806170.tif 000007